(57)【要約】【課題】ナースステーションの防犯性をできるだけ確保しつつ、病室に居る見舞客がナースステーションに医療従事者が居るか否かを確認できるようにする。【解決手段】ナースステーション内に医療従事者が居るか否かを判定するためにカメラ１５により撮影された画像が、患者指定部１６によって指定されたナースコール子機１の表示ディスプレイ４にのみ表示され、他の病床のナースコール子機１の表示ディスプレイ４には表示されないので、ナースステーション内に医療従事者が居るか否かを示す画像情報が無闇に表示されることがなくなり、ナースステーションの防犯性を向上させることができる。また、連絡事項の存在を知った見舞客は、自身の近傍の表示ディスプレイ４にナースステーションの様子が表示されるので、ナースステーションに医療従事者が居るか否かを確認することができる。【選択図】図１
2011245037.tif 000002
【特許請求の範囲】
【請求項１】
ナースステーションに設置され、そのナースステーション内に医療従事者が居るか否かを判定し、その判定結果を判定結果情報として生成する医療従事者在室判定部と、前記医療従事者在室判定部により生成された判定結果情報を出力する親機インターフェースとを備える親機と、
病床の近傍にそれぞれ設置され、前記判定結果情報を入力するインターフェースと、前記判定結果情報を表示する医療従事者在室表示部とを備える子機とを有する情報システムであって、
前記親機は、患者の病床を指定する患者指定部と、前記患者指定部によって指定された病床の近傍に設置された医療従事者在室表示部にのみ判定結果を表示させる制御部とを更に備えたことを特徴とする情報システム。
【発明の詳細な説明】
【技術分野】
【０００１】
本発明は、情報システムに関し、特に、病院内などの施設におけるナースステーションと病室との情報のやり取りを行う情報システムに関する。
【背景技術】
【０００２】
一般的に、病院や介護施設などの施設では、見舞客が患者や被介護者（以下、単に患者と記載する）を訪問することがあった。このような場合、医師や看護師などの医療従事者や介護師（以下、単に医療従事者と記載する）から見舞客に対して連絡事項があるときに、その連絡事項を伝達するために、医療従事者は病室を訪れるが、その際に見舞客が席を外してしまっていることがあった。このとき、医療従事者が「ナースステーションにお立ち寄りください」といった内容のメモを病室に置いておくことで、見舞客が後にナースステーションを訪れて、医療従事者が連絡事項を見舞客に伝達することができた。しかしながら、見舞客がナースステーションを訪れた際に、ナースステーションに医療従事者が居ないことがあり、見舞客が医療従事者から連絡事項を聞くことができないケースが生じてしまうという問題があった。
【０００３】
ところで、病院や介護施設などの施設に設置されているナースコールシステムを利用して、病室内に設置されたカメラによって撮影された画像をナースステーションに設置された表示ディスプレイに表示し、ナースステーション内の医療従事者が病室内の様子を確認できるようにする技術が知られている（例えば、特許文献１など）。この特許文献１に記載の技術を応用して、ナースステーションにカメラを設置し、病室内に表示ディスプレイを設置して、カメラで撮影された画像を表示ディスプレイに表示するようにすれば、病室内の見舞客が表示ディスプレイを見ることによりナースステーションに医療従事者が居るか否かを確認することができる。このとき、見舞客は、ナースステーションに医療従事者が居ることを確認してから、ナースステーションを訪れるようにすれば良い。
【０００４】
しかしながら、この従来技術によれば、病室に設置されている表示ディスプレイによって誰でもナースステーション内の様子を確認することができてしまうので、ナースステーションの防犯上好ましくないという問題があった。
【先行技術文献】
【特許文献】
【０００５】
【特許文献１】特開２００２−１３５６３０号公報
【発明の概要】
【発明が解決しようとする課題】
【０００６】
本発明は、このような問題を解決するために成されたものであり、ナースステーションの防犯性をできるだけ確保しつつ、医療従事者からの連絡事項を伝達されるべき見舞客がナースステーションに医療従事者が居るか否かを確認できるようにすることを目的とする。
【課題を解決するための手段】
【０００７】
上述した課題を解決するために、本発明では、ナースステーション内に医療従事者が居るか否かを判定する医療従事者在室判定部と、連絡事項を伝達すべき見舞客が居る患者の病床を指定するための患者指定部とをナースステーションに設け、医療従事者在室判定部における判定結果を表示する医療従事者在室表示部を病床の近傍に設けて、患者指定部によって指定された病床の近傍に設置された医療従事者在室表示部にのみ判定結果を表示させるようにしている。
【発明の効果】
【０００８】
上記のように構成した本発明によれば、連絡事項を伝達すべき見舞客が居る患者の病床の近傍に設置された医療従事者在室表示部にのみ判定結果が表示され、他の病床の近傍に設置された医療従事者在室表示部には判定結果が表示されない。これにより、ナースステーション内に医療従事者が居るか否かという情報が無闇に表示されることがなくなり、ナースステーションの防犯性を向上させることができる。また、連絡事項の存在を知った見舞客は、自身の近傍の医療従事者在室表示部に判定結果が表示されるので、ナースステーションに医療従事者が居るか否かを確認することができる。
【図面の簡単な説明】
【０００９】
【図１】本実施形態による情報システムの構成例を示すブロック図である。
【図２】本実施形態による情報システムの動作例を示す図である。
【発明を実施するための形態】
【００１０】
以下、本発明の一実施形態を図面に基づいて説明する。本実施形態による情報システムは、ナースコールシステムを用いて構成されている。図１は、本実施形態による情報システムの構成例を示すブロック図である。図１において、１はナースコール子機（特許請求の範囲の子機に該当する）であり、患者の病床の近傍に設置され、患者などにより使用される。ここで、ナースコール子機１は、各患者に対して設置されている。また、ナースコール子機１は、子機制御部２、呼出操作部３、表示ディスプレイ（特許請求の範囲の医療従事者在室表示部に該当する）４、インターフェース５を備えて構成されている。
【００１１】
１０はナースコール親機（特許請求の範囲の親機に該当する）であり、医療従事者が常駐するナースステーションに設置され、医療従事者によって使用される。ここで、ナースコール親機１０は、制御部１１、親機インターフェース１２、記憶部１３、報知部１４、カメラ（特許請求の範囲の医療従事者在室判定部に該当する）１５、患者指定部１６を備えて構成されている。ここで、ナースコール子機１とナースコール親機１０との間には、廊下灯や制御機（ともに図示せず）が接続されている。廊下灯は、病室内の患者の氏名を表示するとともに、病室内の患者が呼び出しを行った場合に呼び出しが行われたことを表示する。また、制御機は、ナースコール子機１とナースコール親機１０との通信の制御を行う。
【００１２】
子機制御部２は、ナースコール子機１の各構成要素を後述するように制御するためのものであり、ＣＰＵ（Central Processing Unit）などにより構成されている。呼出操作部３は、患者などが医療従事者を呼び出す際に操作される。ここで、呼出操作部３が操作されると、子機制御部２は呼出信号を生成する。また、呼出信号には、このナースコール子機１を他のナースコール子機１と区別するための子機識別情報（例えば、病床の番号を示すベッド番号など）が含まれる。表示ディスプレイ４は、ナースステーション内に医療従事者が居るか否かを判定した判定結果情報を表示するためのものであり、本実施形態では、後述するカメラ１５により撮影された画像情報を判定結果情報として表示ディスプレイ４に表示する。
【００１３】
インターフェース５は、ナースコール子機１とナースコール親機１０とを接続して通信を行うためのものである。ここで、インターフェース５は、子機制御部２により生成された呼出信号をナースコール親機１０へ出力する。また、インターフェース５は、ナースコール親機１０から出力された画像情報を入力する。また、ナースコール子機１とナースコール親機１０との間で通話が可能である場合には、インターフェース５は、ナースコール子機１とナースコール親機１０との間で音声信号をやり取りするために使用される。
【００１４】
制御部１１は、ナースコール親機１０の各構成要素を後述するように制御するためのものであり、ＣＰＵなどにより構成されている。親機インターフェース１２は、ナースコール親機１０とナースコール子機１とを接続して通信を行うためのものである。ここで、親機インターフェース１２は、ナースコール子機１から出力された呼出信号を入力する。また、インターフェース１２は、後述するカメラ１５により撮影された画像情報を出力する。また、また、ナースコール親機１０とナースコール子機１との間で通話が可能である場合には、親機インターフェース１２は、ナースコール親機１０とナースコール子機１との間で音声信号をやり取りするために使用される。
【００１５】
記憶部１３はメモリやハードディスクなどの記憶装置により構成されており、ナースコール子機１の子機識別情報とそのナースコール子機１を使用している患者の氏名を示す患者情報とを予め関連付けて記憶している。報知部１４は、スピーカやランプなどにより構成されており、患者からの呼び出しを報知するためのものである。患者が呼出操作部３を操作すると、子機制御部２が呼出信号を生成し、インターフェース５が呼出信号をナースコール親機１０へ出力する。一方、ナースコール親機１０では、親機インターフェース１２が呼出信号を入力し、制御部１１は、呼出信号に含まれる子機識別情報を抽出する。また、制御部１１は、記憶部１３を参照し、抽出した子機識別情報に関連付けて記憶されている患者情報を取得する。そして、制御部１１は、報知部１４を動作させて、取得した患者情報とともに呼び出しが行われていることを報知するようにしている。
【００１６】
カメラ１５は、ナースステーション内の壁面や天井などに設置されており、ナースステーション内を死角なく撮影することが可能である。また、カメラ１５は、撮影した画像を画像情報として出力する。ここで、カメラ１５により撮影された画像に医療従事者が映っている場合には、ナースステーション内に医療従事者が居ると判定され、カメラ１５により撮影された画像に医療従事者が映っていない場合には、ナースステーション内に医療従事者が居ないと判定される。
【００１７】
患者指定部１６は、患者の病床を指定するためのものであり、医療従事者が任意の病床を指定することができるようにボタンなどにより構成されている。ここで、患者指定部１６は、ベッド番号などにより任意の病床を指定することが可能である。また、見舞客が訪ねた病床を訪れたものの、見舞客が不在で連絡事項を伝達できなかった医療従事者や、連絡事項を伝達するためにナースステーションを訪れるよう見舞客に促そうとする医療従事者は、その見舞客が訪ねた病床を患者指定部１６にて指定する。
【００１８】
例えば、図２に示すように、患者指定部１６にて病床Ａが指定された場合、制御部１１は、指定された病床Ａの近傍に設置されているナースコール子機１に対して、カメラ１５により撮影された画像情報を親機インターフェース１２にて出力する。指定された病床Ａの近傍に設置されているナースコール子機１では、インターフェース５が画像情報を入力する。子機制御部２は、インターフェース５が入力した画像情報を表示ディスプレイ４に表示する。このとき、表示ディスプレイ４に「見舞客の方は、後ほどナースステーションを訪ねてください」といったメッセージが併記される。一方、指定されていない病床Ｂや病床Ｃの近傍に設置されているナースコール子機１では、インターフェース５が画像情報を入力することはない。そのため、病床Ｂ，Ｃの表示ディスプレイ４には何も表示されない。
【００１９】
この状態で、指定された病床Ａに見舞客が戻り、表示ディスプレイ４に表示されているメッセージを見ることにより、見舞客はナースステーションを訪れる必要があることを把握する。また、表示ディスプレイ４に表示されている画像情報を見ることにより、見舞客はナースステーションに医療従事者が居るか否かを把握することができる。そのため、医療従事者がナースステーションに居るタイミングで見舞客はナースステーションを訪れるようにすれば良い。
【００２０】
また、見舞客がナースステーションを訪れて、医療従事者から見舞客に連絡事項が伝達された場合には、医療従事者は、病床Ａの指定を解除する。これにより、病床Ａに設置されている表示ディスプレイ４には、何も表示されなくなる。
【００２１】
以上詳しく説明したように、本実施形態によれば、ナースステーション内に医療従事者が居るか否かを判定するためにカメラ１５により撮影された画像が、患者指定部１６によって指定されたナースコール子機１の表示ディスプレイ４にのみ表示され、他の病床のナースコール子機１の表示ディスプレイ４には表示されない。これにより、ナースステーション内に医療従事者が居るか否かを示す画像情報が無闇に表示されることがなくなり、ナースステーションの防犯性を向上させることができる。また、連絡事項の存在を知った見舞客は、自身の近傍の表示ディスプレイ４にナースステーションの様子が表示されるので、ナースステーションに医療従事者が居るか否かを確認することができる。
【００２２】
なお、前述した実施形態では、ナースステーション内の様子をカメラ１５によって撮影した画像情報を見舞客に確認させることにより、ナースステーション内に医療従事者が居るか否かを見舞客に把握させるようにしているが、これに限定されない。例えば、医療従事者に発信器を携行させ、発信器から送信される信号の受信範囲をナースステーション内とする受信器をナースステーション内に設置して、受信器が少なくとも一つの発信器から信号を受信することができた場合には、医療従事者がナースステーション内に居ると判定し、受信器が信号を受信することができなかった場合には、医療従事者がナースステーション内に居ないと判定して、その判定結果情報を該当する表示ディスプレイ４に表示させるようにしても良い。
【００２３】
また、上述した判定方法以外にも、ナースステーション内に医療従事者が居るか否かの判定方法は、あらゆる方法で実現可能である。例えば、ナースステーション内に人感センサーを設置し、人感センサーが人を検出している場合には、医療従事者がナースステーション内に居ると判定し、人感センサーが人を検出していない場合には、医療従事者がナースステーション内に居ないと判定して、その判定結果情報を該当する表示ディスプレイ４に表示させるようにしても良い。
【００２４】
また、前述した実施形態では、表示ディスプレイ４に「見舞客の方は、後ほどナースステーションを訪ねてください」といったメッセージを併記することで、見舞客に連絡事項が存在することを通知しているが、これに限定されない。例えば、医療従事者が対象の見舞客が居る病室を訪れた際に、メモを置いておくようにして、表示ディスプレイ４にメッセージを表示させないようにしても良い。
【００２５】
また、前述した実施形態では、表示ディスプレイ４は、病床単位で設置されているが、これに限定されない。例えば、表示ディスプレイ４を病室単位で設置するようにしても良い。この場合、同じ病室内に設置されたナースコール子機１により一つの表示ディスプレイ４が共用されることになる。
【００２６】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００２７】
１    ナースコール子機
２    子機制御部
３    呼出操作部
４    表示ディスプレイ
５    インターフェース
１０    ナースコール親機
１１    制御部
１２    親機インターフェース
１３    記憶部
１４    報知部
１５    カメラ
１６    患者指定部
【図１】
2011245037.tif 000003
【図２】
2011245037.tif 000004